(57)【要約】【課題】本発明の課題は、透視窓からの透視範囲がホッパ内全体に及ぶようにし、ホッパ内を一望することのできる貯留ホッパを具現することにある。【解決手段】本発明は、ホッパ（８）前面に設けられた透視窓（１２）からホッパ内を透視する視角範囲を視角下限（S１）と視角上限（S２）とに設定し、視角下限（S１）は、ホッパ傾斜底面（８a）が透視窓（１２）下縁とホッパ出口（９）を結ぶ後方下りの急傾斜面とし、視角上限（S２）は、ホッパ天井壁面（８u）が透視窓（１２）上縁からホッパ後端部を結ぶ略水平若しくは後方上りの緩傾斜面とするホッパ構造。【選択図】      図１
2011109981.tif 000002
【特許請求の範囲】
【請求項１】
ホッパ（８）の前面に該ホッパ（８）の内部を透視する透視窓（１２）を設け、該透視窓（１２）からホッパ（８）内を透視する上下方向の視角範囲を視角下限（Ｓ１）と視角上限（Ｓ２）との間の範囲として設定するに、前記透視窓（１２）の下縁とホッパ（８）の出口（９）とを結ぶ後方下がりの急傾斜面であるホッパ（８）の傾斜底面（８ａ）によって視角下限（Ｓ１）を設定し、前記透視窓（１２）の上縁からホッパ（８）の後端部を結ぶ略水平若しくは後方上がりの緩傾斜面であるホッパ（８）の天井壁面（８ｕ）によって視角上限（Ｓ２）を設定したことを特徴とするコンバイン用ホッパ。
【請求項２】
前記透視窓（１２）を球面状の透明体によって構成したことを特徴とする請求項１記載のコンバイン用ホッパ。
【発明の詳細な説明】
【技術分野】
【０００１】
この発明は、コンバイン用のホッパに関する。
【背景技術】
【０００２】
従来より、脱穀部の側部に設置された穀粒貯留装置には、運転者の背中に面する側壁の一部に開口部が設けられ、更に、該開口部には透明な蓋体が設けられている（例えば特許文献１参照）。
【先行技術文献】
【特許文献】
【０００３】
【特許文献１】特開平１１−１１３３７８号公報
【発明の概要】
【発明が解決しようとする課題】
【０００４】
上記透明な蓋体は、穀粒量が満杯に近づいたことを目視できるように穀粒貯留装置内の比較的高い位置に設けられたものであるため、透視範囲が穀粒貯留装置内上部のみに限られ、穀粒貯留装置内全体の透視が困難であった。
【課題を解決するための手段】
【０００５】
この発明は、上記課題を解決すべく次のような技術的手段を講じた。
すなわち、請求項１記載の発明は、ホッパ（８）の前面に該ホッパ（８）の内部を透視する透視窓（１２）を設け、該透視窓（１２）からホッパ（８）内を透視する上下方向の視角範囲を視角下限（Ｓ１）と視角上限（Ｓ２）との間の範囲として設定するに、前記透視窓（１２）の下縁とホッパ（８）の出口（９）とを結ぶ後方下がりの急傾斜面であるホッパ（８）の傾斜底面（８ａ）によって視角下限（Ｓ１）を設定し、前記透視窓（１２）の上縁からホッパ（８）の後端部を結ぶ略水平若しくは後方上がりの緩傾斜面であるホッパ（８）の天井壁面（８ｕ）によって視角上限（Ｓ２）を設定したことを特徴とするコンバイン用ホッパとする。
【０００６】
作業者は、運転席から後方に振り向いてホッパ（８）内を透視窓から覗くだけで、ホッパ（８）内の後部、ホッパ（８）の出口（９）までの漏斗状の傾斜底面（８ａ）部など、ホッパ（８）内全体を一望することができる。そのため、作業者は、わざわざ点検蓋を開けてホッパ（８）内の籾の溜まり状態を確認する必要がなく、透視窓からホッパ（８）内の籾量を容易に確認することができる。
【０００７】
また、請求項２記載の発明は、前記透視窓（１２）を球面状の透明体によって構成したことを特徴とする請求項１記載のコンバイン用ホッパとする。
このように透視窓（１２）を球面状の透明体で構成することで、この透視窓（１２）の内面が穀粒によって傷付けられにくくなる。
【発明の効果】
【０００８】
請求項１記載の発明によれば、ホッパ（８）の前面に設けられた透視窓（１２）からホッパ（８）内全体を一望することができ、作業者はいちいち点検蓋を開けてホッパ（８）内の籾の溜まり状態を確認する必要がなく、透視窓（１２）からホッパ（８）内の籾量を容易に確認することができ、コンバインによる作業能率を高めることができる。
【０００９】
請求項２記載の発明によれば、上記請求項１記載の発明の効果を奏するうえに、透視窓（１２）を球面状の透明体で構成することで、この透視窓（１２）の内面を穀粒によって傷付けられにくくでき、ホッパ（８）内部の視認性を良好に維持して、コンバインの作業能率を更に高めることができる。
【図面の簡単な説明】
【００１０】
【図１】コンバインの側面図
【図２】ホッパ要部の正面図
【図３】ホッパ内部の平面図
【図４】ホッパ及び揚穀筒の側面図
【図５】同上背面図
【図６】ホッパ内の籾排出分布状態を示す平面図
【図７】コンバインの側面図
【図８】貯留ホッパの要部破断側面図
【図９】貯留ホッパの要部の側面図
【図１０】同上要部の背面図
【図１１】同上要部の平面図
【図１２】コンバインの側面図
【図１３】同上背面図
【発明を実施するための形態】
【００１１】
この発明の実施例を図面に基づき説明する。
図１は、コンバインの側面図を示すものであり、この走行車体１には、左右一対の走行クローラ２，２を備え、後部に搭載した脱穀部（脱穀装置）４の前方部に刈取部３を設置し，刈取部３の横側部には運転席５や操作ボックス６等からなる運転操作部を備え、更に、その運転操作部の後方で、且つ前記脱穀部４の横側部には、脱穀部４の1番揚穀装置（１番揚穀筒）７からの脱穀粒を受け入れて一時的に貯留する袋詰用のホッパ８を装備している。
【００１２】
ホッパ８には、漏斗状の傾斜底面８ａ，８ｂ，８ｃ，８ｄの下端に出口９に通ずる排出筒１０が設けられ、この排出筒１０部に設けられた開閉シャッター１１を開けると、ホッパ８内の穀粒が袋ホルダに吊持された袋内に詰め込まれるようになっている。
【００１３】
ホッパ８の前側壁面部（前面）８ｆには、前方に向けて膨出する半球状（球面状）の透明体からなる透視可能な透視窓１２が設けられている。この透視窓１２は、半球状とすることで、左右上下の視角範囲を大きくとることができる。また、この透視窓１２が球面状であることで、この透視窓１２の内面に穀粒が当たりにくく、この透視窓１２が傷付きにくくなり、ホッパ８内部の視認性を良好に維持できる。また、透視窓１２は、正面視でホッパ８の左右幅方向中央部に設定され、しかも、ホッパ８の後傾斜前面８ｆ、即ち、下端側より上端側ほど後位となるよう後傾斜角をもつ前面８ｆに設定することで、作業者は運転席に座ったままでも後方に振り向いて斜め下方を見下ろしながら透視窓を注視することができ、ホッパ８内の穀粒充填量が容易に確認できる。
【００１４】
また、作業者が透視窓１２からホッパ８内を透視する上下の視角範囲を視角下限Ｓ１と視角上限Ｓ２とに設定し、視角下限Ｓ１は、ホッパ８の傾斜底面８ａが透視窓１２下縁とホッパ８の出口（穀粒排出口）９を結ぶ後方下りの急傾斜面とし、視角上限Ｓ２は、ホッパ８の天井壁面８ｕが透視窓上縁からホッパ８後端部を結ぶ略水平若しくは後方上りの緩傾斜面となるよう形成している。従って、作業者が透視窓１２から透視すれば、ホッパ８内全面を透視することができ、更に、ホッパ８下部の出口９部も透視できるので、出口９部での詰まりの状態や、シャッターの開閉の有無等早期に確認することができる。
【００１５】
ホッパ８前面の左右中心部に設けた透視窓１２の後方部で天井壁面８uに開閉可能な点検蓋１３を設けることで、透視窓１２より穀粒の充填量を確認し、点検蓋を開けてホッパ８内の点検が行えるようにしている。
【００１６】
次に、前記１番揚穀装置７の構成例について詳しく説明すると、ホッパ８内に臨む揚穀筒７先端の籾吐出口部１５の形状構成として、図４に示すように、該籾吐出口の前側を開口面積小（図例では上下幅を狭くしている。）の第１吐き出し口１５ａとし、後側を開口面積大（図例では上下幅を広くしている。）の第２吐き出し口１５ｂとすべく大きさの異なった籾吐出口部の構成とすることで、第１吐き出し口１５ａでホッパ８の前面から右側面の前半分程度（図６の碁盤目部）の面積に籾を排出し、第２吐き出し口１５ｂではホッパ８の右側面の後半分程度（図６の斜線部）から後面に至る面積に籾を排出させるようにしている。籾吐出口部１５の形状が四角型であると、ホッパ８内の籾の充填量が不均一で、ホッパ８の容量を充分確保することができない。本例では、上記構成とすることで、ホッパ８内に籾が均一に溜まり、大容量を確保することができる。なお、籾吐出口の開口面積は、前側が小さく後側ほど順次大きくなるように構成するものであってもよい。
【００１７】
図７に示す実施例は、ホッパ８の後面を側面視で脱穀部４の後部に配置された排藁カッタ１６後面と同じ位置まで張り出した構成としている。これにより、機体全長を伸ばすことなく、大容量のホッパ形状を具現することができる。
【００１８】
また、図８に示すように、ホッパ８において、これを側面視でホッパ８の出口９の垂直面に対する前側傾斜底面８aの傾斜角θ１、後側傾斜底面８bの傾斜角θ２、後側傾斜底面８ｂより更に後方に延出する部分８b１の傾斜角をθ３とすると、それらの角度θ１＝θ２＜θ３とすることにより容量を大きくとることができる。つまり、θ３をθ１，θ２より大きくとることで、ホッパ８の容量を大きくとることができ、また、θ１＝θ２とすることで籾を均一に排出することができる。
【００１９】
図９〜図１１に示す実施例は、ホッパ８内において、揚穀筒７の籾吐出口１５部の近傍でこれと略同じ高さ位置にグレンセンサ１７をホッパ内壁面から突設する取付板１８に装着して設け、グレンセンサ１７と籾吐出口１５との間には、該吐出口から排出される籾によって障害を受けないようにグレンセンサ１７を防護するガードプレート１９を前記取付板１８に設けた構成としている。グレンセンサ１７は籾吐出口部１５の近傍で略同じ高さ位置に設けることで、大容量を確保しながら籾満杯状態を検出でき、グレンセンサ１７の感度も正確となり、しかも、グレンセンサ１７はガードされているので、吐出口からの籾が直接グレンセンサ１７に当たることがなく、不慮の破損を招くことがない。
【００２０】
貯留ホッパ８は、図１２及び図１３に示すように、５箇所の支持ステー２１，２２，２３，２４，２５、によって機体側に装着支持されている。つまり、支持ステー２１は、ホッパ８の傾斜底面（左側）８ｄ側を揚穀筒７に連結保持させている。支持ステー２２はホッパの前側傾斜底面８ａ側部分が、支持ステー２３はホッパ８の後側傾斜底面８b側部分が機体側支持フレームに装着支持され、また、支持ステー２４は、ホッパ８の後側壁面部（後面）８ｒの左右幅方向中央部分が排藁カッタ１６上方のカバー支持枠２６に装着支持され、更に、支持ステー２５は、ホッパ８の後側壁面部（後面）８ｒの左側寄り部分が前記カバー支持枠２６に装着支持された構造になっている。かかる支持構成により、ホッパ８を均等に支持することができ、安定した強度を保持することができる。
【符号の説明】
【００２１】
８    貯留ホッパ
８ａ  ホッパの傾斜底面（前側）
８８ｕ  ホッパの天井壁面
１２    透視窓
Ｓ１    視角下限
Ｓ２    視角上限
【図１】
2011109981.tif 000003
【図２】
2011109981.tif 000004
【図３】
2011109981.tif 000005
【図４】
2011109981.tif 000006
【図５】
2011109981.tif 000007
【図６】
2011109981.tif 000008
【図７】
2011109981.tif 000009
【図８】
2011109981.tif 000010
【図９】
2011109981.tif 000011
【図１０】
2011109981.tif 000012
【図１１】
2011109981.tif 000013
【図１２】
2011109981.tif 000014
【図１３】
2011109981.tif 000015